(57)【要約】【課題】  パソコンを用いることなく、簡単に棒グラフを作成でき、数値の変動などにも簡単に対応できる業績ボードを提供する。【解決手段】  互いに対向して配置された一対の回転部６、７を保持する収容体１と、環状でその環内に配置された回転部６、７によって循環するように移動可能に保持された本体シート３０とを備える棒グラフユニットＵ２と、本体シート３０の表面に設けられた本体シート目印３３の位置に応じた業績値を表す表示ユニットＵ１とを備える。本体シート目印３３を移動させることで、配色された本体シート３０が棒グラフとして表される。【選択図】  図１
2009282150.tif 000002
【特許請求の範囲】
【請求項１】
互いに対向して配置された一対の支持体を保持する収納部と、
環状に形成されていると共に環内に配置された前記一対の支持体により保持され、マークが表面に設けられた表示体と、
前記表示体のマークの移動方向に沿って前記収納部に設けられ、該マークの位置に応じた業績値を表す業績表示部と、を備え、
前記表示体は、前記支持体と交差する方向に対して、循環するように移動可能に保持されている、ことを特徴とする業績ボード。
【請求項２】
前記各支持体は回転可能に前記収納部に保持されている、ことを特徴とする請求項１に記載の業績ボード。
【請求項３】
回動自在に配設され、回動することで少なくとも一方の前記支持体を回転させて前記表示体を移動させる回転操作部を備える、ことを特徴とする請求項２に記載の業績ボード。
【請求項４】
前記表示体の表面から突出した操作用突起が設けられ、この操作用突起を前記表示体のマークとする、ことを特徴とする請求項１〜３のいずれか１項に記載の業績ボード。
【請求項５】
前記収納部が複数着脱自在である、ことを特徴とする請求項１〜４のいずれか１項に記載の業績ボード。
【発明の詳細な説明】
【技術分野】
【０００１】
本発明は、営業成績などを棒グラフで表す業績ボードに関する。
【背景技術】
【０００２】
数量の大きさを視覚的に捉えやすくするために、数量を棒で表した棒グラフが用いられる。例えば、営業所などでは、業績を視覚的に捉えやすくするために、営業成績などの業績を表す棒グラフを、パソコンで作成して紙に印刷したり、手書きで紙面上に棒グラフを書き込んだりしている（例えば、特許文献１参照。）。
【特許文献１】特開２００２−１３８３８４号公報
【発明の開示】
【発明が解決しようとする課題】
【０００３】
しかしながら、このような棒グラフは紙に表示されるため、パソコンで作成する場合には、業績が変化するたびにパソコンで再度作り直して印刷する必要があった。さらに、パソコンで作成しても印刷する大きさは限られ、小さな紙で掲示しても見る人にインパクトを与えられなかった。一方、手書きで棒グラフを作成する場合には、大きな紙に書くことができるものの、新たな棒グラフを作成したり、業績の変化を棒グラフに反映させたりするのに、時間と手間を要していた。
【０００４】
そこで本発明は、パソコンを用いることなく、簡単に棒グラフを作成でき、数値の変動などにも簡単に対応できる業績ボードを提供することを目的とする。
【課題を解決するための手段】
【０００５】
上記目的を達成するために請求項１に記載の発明は、互いに対向して配置された一対の支持体を保持する収納部と、環状に形成されていると共に環内に配置された前記一対の支持体により保持され、マークが表面に設けられた表示体と、前記表示体のマークの移動方向に沿って前記収納部に設けられ、該マークの位置に応じた業績値を表す業績表示部と、を備え、前記表示体は、前記支持体と交差する方向に対して、循環するように移動可能に保持されている、ことを特徴とする業績ボードである。
【０００６】
請求項２に記載の発明は、請求項１に記載の業績ボードにおいて、前記各支持体は回転可能に前記収納部に保持されている、ことを特徴とする。
【０００７】
請求項３に記載の発明は、請求項２に記載の業績ボードにおいて、回動（回転）自在に配設され、回動することで少なくとも一方の前記支持体を回転させて前記表示体を移動させる回転操作部を備える、ことを特徴とする。
【０００８】
請求項４に記載の発明は、請求項１〜３のいずれか１項に記載の業績ボードにおいて、前記表示体の表面から突出した操作用突起が設けられ、この操作用突起を前記表示体のマークとする、ことを特徴とする。
【０００９】
請求項５に記載の発明は、請求項１〜４いずれか１項に記載の業績ボードにおいて、前記収納部が複数着脱自在である、ことを特徴としている。
【発明の効果】
【００１０】
請求項１の発明によれば、移動可能に収納部に保持されている表示体にマークが設けられ、かつ、業績表示部の業績値がマーク位置に対応しているので、表示体を動かすだけでマークの位置が変わり、営業成績等の業績をグラフ化することができる。また、パソコンを用いてグラフを作成することを不要にし、しかも、紙でグラフを作成する場合と異なり、マークの位置を変えるだけで、業績の変動にも容易に対応することができる。このように、簡単に棒グラフを作成でき、しかも数値の変動にも容易に対応できる。しかも、この業績ボードをある程度大きくして、壁などに設置することで、見る人にインパクトを与えることができる。
【００１１】
請求項２の発明によれば、支持体を回転可能に収納部に保持したので、表示体の移動を容易にすることができる。
【００１２】
請求項３の発明によれば、回転操作部を回すだけで表示体が移動して、マークの位置を動かすことができる。また、表示体が手の届かない所に設置されていても、回転操作部を手の届く位置に設けることで、マークの位置を容易に動かすことが可能となる。
【００１３】
請求項４の発明により、表示体に操作用突起を設け、また、操作用突起をマークとしているので、手で操作用突起を握って表示体を動かすことにより、マークの位置を容易に変えることができる。
【００１４】
請求項５の発明により、収納部が複数着脱自在なため、棒グラフの数を容易に加減・変更することができ、例えば、業績ボード上に示す営業担当者の数が変動しても、容易に対応することができる。
【発明を実施するための最良の形態】
【００１５】
以下、本発明を図示の実施の形態に基づいて説明する。
【００１６】
図１は、本発明の実施の形態に係る業績ボードを示す正面図であり、この業績ボードは、ひとつの表示ユニット（業績表示部）Ｕ１と、ひとつまたは複数の棒グラフユニットＵ２とから構成される。表示ユニットＵ１は、図２に示すように、略角柱形で、正面壁Ｕ１ａはホワイトボードなどで構成され、棒グラフが表す数値や単位などを書き込めるようになっている。背面壁Ｕ１ｂには、図３に示すように、台形の窪みＵ１ｃが形成されている。この窪みＵ１ｃは、背面壁Ｕ１ｂの一部を削って形成したものであり、後述する収容体（収納部）１の突起部分１ｇが嵌合して、表示ユニットＵ１と棒グラフユニットＵ２を連結させるものである。
【００１７】
棒グラフユニットＵ２は、図４、５に示すように、収容体１と、第１の回転部（支持体）６と、第２の回転部（支持体）７と、たるみ防止棒８と、目標レベルユニット１０と、本体シート（表示体）３０と、上部余白ユニット４０と、下部余白ユニット５０とを備えている。
【００１８】
収容体１は、図５に示すように、上壁１ａと、下壁１ｂと、右壁１ｃと、左壁１ｄと、背面壁１ｅから構成される。背面壁１ｅにおいて、図６に示すように、表示ユニットＵ１の背面壁Ｕ１ｂと同様に、台形の窪み１ｆとこの窪みと同形状の突起部分１ｇが形成されている。この突起部分１ｇは、表示ユニットＵ１の背面壁Ｕ１ｂの窪みＵ１ｃまたは別の収容体１の背面壁１ｅにある窪み１ｆに嵌合され、表示ユニットＵ１と棒グラフユニットＵ２とを、または棒グラフユニットＵ２同士を連結させるものである。
【００１９】
収容体１の下壁１ｂには、本体シート調整部（回転操作部）１５が配設され、この本体シート調整部１５は、図７に示すように、第１のかさ歯車（ベベルギア）１５ａと、調整つまみ１５ｂと、設置板１５ｃおよび軸１５ｄから構成される。第１のかさ歯車１５ａは、軸１５ｄの先端部側に配設され、後述する第２のかさ歯車６３と噛み合うようになっている。調整つまみ１５ｂは、軸１５ｄの基端部側に配設され、収容体１の下壁１ｂの下面から突出するように配設されている。設置板１５ｃは、軸１５ｄの中央部に配設され、下壁１ｂの上面側（収容体１の内側）に位置して、この設置板１５ｃと調整つまみ１５ｂとで下壁１ｂを挟むことによって、本体シート調整部１５が収容体１に保持されるようになっている。
【００２０】
軸受け部材２Ａ〜２Ｃは、中央部に軸穴が形成され、第１の回転部６、第２の回転部７およびたるみ防止棒８を、回転自在に収容体１に保持するもので、軸受け部材２Ａは右壁１ｃと左壁１ｄの下部に、軸受け部材２Ｂは右壁１ｃと左壁１ｄの上部に、軸受け部材２Ｃは右壁１ｃと左壁１ｄの中央部に配設されている。
【００２１】
第１の回転部６は、図８に示すように、第１の回転体６１、回転体支持部６２および第２のかさ歯車６３から構成される。第１の回転体６１は、略円柱状（ローラ状）で、両端部が中央部よりも大径となっており、中央部に後述する本体シート３０が位置して横ぶれが防止されるようになっている。回転体支持部６２は、第１の回転体６１の両端に配設された軸で、軸受け部材２Ａの軸穴に挿入されて、第１の回転体６１を回転自在に支持するものである。第２のかさ歯車６３は、一方（図中右側）の回転体支持部６２に配設され、本体シート調整部１５の第１のかさ歯車１５ａと噛み合い回転することによって、第１の回転部６を回転させて後述する本体シート３０を移動させるものである。
【００２２】
第２の回転部７は、図９に示すように、第２の回転体７１と回転体支持部７２から構成される。第２の回転体７１は、略円柱状で、両端部が中央部よりも大径となっており、中央部に後述する本体シート３０が位置して横ぶれが防止されるようになっている。回転体支持部７２は、第２の回転体の両端に配設された軸で、軸受け部材２Ｂの軸穴に挿入されて、第２の回転体７１を回転自在に支持するものである。
【００２３】
本体シート３０は、棒グラフの要素を表すもので、第１の色からなる下部本体シート３１と第２の色からなる上部本体シート３２から構成され、下部本体シート３１と上部本体シート３２で環状のベルトが形成されている。あるいは、一枚のシートの表面片側半分を第１の色で配色し、残り片側半分を第２の色で配色して、両端をつなげて環状のベルトを形成してもよい。このような環状の本体シート３０の環内に第１の回転部６と第２の回転部７とが配置され、この回転部６、７によって循環するように移動可能（自転自在）に保持される。第１の色は、棒グラフにおける第１の要素を表すものであり、第１の色と第２の色の境目（マーク）に位置する表示ユニットＵ１の値が、第１の要素の値を示すようになっている。第２の色は、棒グラフにおける第２の要素を表すものである。
【００２４】
また、第１の色と第２の色の境目の中央部には、本体シート３０の表面から突出した本体シート目印（マーク、操作用突起）３３が設けられている。そして、この本体シート目印３３をつまんで上下させることによって、本体シート３０を回転させ、第１の要素の値（マークの位置）を変化させるものである。
【００２５】
たるみ防止棒８は、本体シート３０のたるみを抑えるもので、軸受け部材２Ｃの軸穴に両端部が挿入され、右壁１ｃと左壁１ｄに回転自在に保持されている。このように配設された状態で本体シート３０と接し、本体シート３０の接触部を環内側の押すことで、本体シート３０のたるみを抑えるようになっている。
【００２６】
目標レベルユニット１０は、図１０〜１２に示すように、目標棒ガイドレール１１と、目標レベル棒１２と、外れ防止ガイド１３とを備えている。目標棒ガイドレール１１は、収容体１の左壁１ｄに配設され、図１０に示すように、一対のレールの対向面のそれぞれに波面部１１ａが形成されている。
【００２７】
目標レベル棒１２は、矢印部材１２Ａ、ストッパ１２Ｂおよびバネ１２Ｃから構成され、棒グラフの目標値を示すものである。矢印部材１２Ａは、図１１に示すように、一方の端部は目標値を指し示す矢印形に形成され、他方の端部には２つの突起１２Ａ１が形成され、さらに、それぞれの突起１２Ａ１にガイド溝１２Ａ２が形成されている。ストッパ１２Ｂは、略扇形の板状で、バネ１２Ｃを介してガイド溝１２Ａ２に装着され、ストッパ１２Ｂを押すとバネ１２Ｃが縮んで突起１２Ａ１内に入り、押す力を解除するとバネ１２Ｃが伸びてストッパ１２Ｂが突起１２Ａ１から突出するようになっている。そして、目標棒ガイドレール１１の波面部１１ａの凹部にストッパ１２Ｂが嵌合することで、目標レベル棒１２が目標棒ガイドレール１１に挟持、保持される。一方、外力を加えることで、ストッパ１２Ｂの嵌合が解除されて、目標レベル棒１２が目標棒ガイドレール１１に沿って移動できるものである。
【００２８】
外れ防止ガイド１３は、目標レベル棒１２が目標棒ガイドレール１１から外れるのを防止して、目標レベル棒１２を滑らかに移動させるもので、図１２に示すように、収容体１の左壁１ｄとで、矢印部材１２の突起１２Ａ１を挟むように配設されている。
【００２９】
上部余白ユニット４０は、図４に示すように、上部余白シート４１、上部余白シート目印４２および上部余白シート支持具４３から構成され、上部本体シート３２を覆うことによって、第２の色の上限を変化させ、第２の要素の値を変動させるものである。上部余白シート４１は、ある程度強度があり、かつ柔らかく自由に曲がるシリコーンゴムなどから構成され、その表面には第３の色（例えば、白色）が配色されている。上部余白シート目印４２は、上部余白シート４１の表面から突出し、上部余白シート４１の一端の左側に設けられ、この上部余白シート目印４２をつまんで上下させることで、上部余白シート４１を上下に移動させるものである。
【００３０】
上部余白シート支持具４３は、上部余白シート４１の一端側に配設され、図１３に示すように、平板状の本体４３Ａ、ストッパ４３Ｂ、バネ４３Ｃとから構成されている。本体４３Ａの両端部には、ガイド穴４３Ａ１が形成され、ストッパ４３Ｂの基端部がバネ４３Ｃを介してガイド穴４３Ａ１に装着されている。一方、図４、１２に示すように、収容体１の右壁１ｃと左壁１ｄには、対向するように余白シートガイドレール２３が設置され、各余白シートガイドレール２３の対向面には波面部２３ａが形成されている。そして、波面部２３ａの凹部にストッパ４３Ｂの先端部が嵌合することで、上部余白シート支持具４３つまり上部余白シート４１の一端部が余白シートガイドレール２３に挟持、保持される。一方、外力を加えることで、ストッパ４３Ｂの嵌合が解除されて上部余白シート４１が余白シートガイドレール２３に沿って移動できるものである。
【００３１】
また、収容体１の右壁１ｃと左壁１ｄには、図１２に示すように、余白シートガイドレール２３を上下方向に挟むように余白シート防止ガイド２２が配設され、上部余白シート４１および後述する下部余白シート５１が余白シートガイドレール２３から脱落するのを防止するようになっている。さらに、右壁１ｃと左壁１ｄにはそれぞれ、余白シートガイドレール２３の下方（収容体１の表面から奥側）に、一対の余白シート防止ガイド２２が設けられ、この余白シート防止ガイド２２に上部余白シート４１の他端部がガイドされるようになっている。
【００３２】
下部余白ユニット５０は、下部余白シート５１、下部余白シート目印５２および下部余白シート支持具５３から構成され、第４の色が配色された第３の要素を後述するようにして表すものである。下部余白シート５１、下部余白シート目印５２および下部余白シート支持具５３はそれぞれ、上部余白ユニット４０の上部余白シート４１、上部余白シート目印４２および上部余白シート支持具４３と同等の構成で、上部余白ユニット４０と同様にして、余白シートガイドレール２３に沿って移動できるようになっている。また、下部余白シート５１の表面には第４の色が配色され、下部余白シート５１の一端の右側に、下部余白シート目印５２が設けられている。
【００３３】
次に、このような構成の業績ボードの使用方法などについて説明する。
【００３４】
まず、表示ユニットＵ１と表示しようとする棒グラフの数と同じ数の棒グラフユニットＵ２を用意する。次に、表示ユニットＵ１の背面壁Ｕ１ｂの窪みＵ１ｃに、棒グラフユニットＵ２の背面壁１ｅの突起部分１ｇを嵌合させて、表示ユニットＵ１と棒グラフユニットＵ２を連結させる。同様にして、必要数の棒グラフユニットＵ２を連結させて、業績ボードを組み立てる。続いて、表示ユニットＵ１の正面壁Ｕ１ａに棒グラフが示す単位および数値を書き込む。そして例えば、第１の要素（下部本体シート３１）は今年度の業績、第２の要素（上部本体シート３２）は前年度の業績、第３の要素は今年度の業績が前年度を上回った場合の前年度の業績などのように、第１の要素と第２の要素と第３の要素が何を表すのかを決める。
【００３５】
次に、今年度の目標値を決め、上記のようにして目標レベル棒１２を動かし、矢印部材１２Ａを目標値に合わせるとともに、本体シート目印３３と下部余白シート目印５２を最下端に移動させる。続いて、図１４に示すように、上部余白シート目印４２を上下に移動させることによって、上部余白シート目印４２を前年度の業績値に合わせる。つまり、上部本体シート３２の上部を上部余白シート４１で覆うことで、第２の色で配色された上部本体シート３２を前年度の業績として表す。
【００３６】
次に、今年度の業績が変化する度に、上記のようにして本体シート目印３３をつまんで本体シート３０を回転、移動させながら、本体シート目印３３を今年度の業績値に合わせる。これにより、図１５に示すように、第１の色で配色された下部本体シート３１が示す上限が変化し、業績が変化したことが表される。ここで、本体シート目印３３が手の届かない高所に位置する場合などには、本体シート調整部１５の調整つまみ１５ｂを回すことで、上記のようにして第１の回転部６が回転して本体シート３０が回転、移動する。
【００３７】
このようにして、今年度の業績が前年度の業績に達すると、本体シート目印３３が上部余白シート目印４２に達し、上部本体シート３２がすべて上部余白シート４１で覆われる。さらに、今年度の業績が前年度の業績を上回った場合には、図１６に示すように、下部余白シート目印５２を移動させて前年度の業績値に合わせる。これにより、第４の色が配色された下部余白シート５１によって前年度の業績が表される。そして、本体シート目印３３と上部余白シート目印４２とを動かして、双方の目印３３、４２を今年度の業績値に合わせる。これにより、下部本体シート３１に配色された第１の色が示す上限が、今年度の業績を示すことになる。
【００３８】
以上のように、この業績ボードによれば、常に業績が変化する場合においても、各目印３３、４２、５２を動かすだけで、業績の変化を容易に表すことができる。しかも、目印３３、４２、５２や目標レベル棒１２を動かすだけで、現在の業績値のみならず、目標値や過去の業績値などを現在の業績値とともに、容易に表示することができる。さらに、パソコンなどとは異なり、壁などに設置することができるため、例えば社内の廊下の壁に業績ボードを設置することで、見る人にインパクトを与えることができる。また、例えば業績ボード上に示す営業担当者の数が変動して、表示すべき棒グラフの数が増減しても、棒グラフユニットＵ２を増減するだけで、容易に対応することができる。
【００３９】
以上、この発明の実施の形態を詳述してきたが、具体的な構成はこの実施の形態に限られるものではなく、この発明の要旨を逸脱しない範囲の設計の変更等があっても、この発明に含まれる。例えば、この実施の形態では、ひとつの棒グラフユニットＵ２に、ひとつの本体シート３０や余白ユニット４０、５０などが配設されているが、次のようにしてもよい。すなわち、ひとつの棒グラフユニットＵ２に、複数の本体シート３０や余白ユニット４０、５０などを並列に配設し、さらに、このような棒グラフユニットＵ２（収納部）を複数着脱自在（増減自在）にしてもよい。
【図面の簡単な説明】
【００４０】
【図１】本発明の実施の形態に係る業績ボードを示す正面図である。
【図２】図１の業績ボードの表示ユニットの斜視図である。
【図３】図２の表示ユニットの背面図である。
【図４】図１の業績ボードの棒グラフユニットを示す分解斜視図である。
【図５】図４の棒グラフユニットの収容体の斜視図である。
【図６】図５の収容体の斜視図である。
【図７】図４の棒グラフユニットの本体シート調整部の斜視図である。
【図８】図４の棒グラフユニットの第１の回転部の斜視図である。
【図９】図４の棒グラフユニットの第２の回転部の斜視図である。
【図１０】図４のＸ―Ｘ断面図（外れ防止ガイドを除く）である。
【図１１】図４の棒グラフユニットの目標レベル棒の斜視（一部分解斜視）図である。
【図１２】図４のＹ―Ｙ断面図である。
【図１３】図４の棒グラフユニットの上部余白シート支持具の斜視（一部分解斜視）図である。
【図１４】図４の棒グラフユニットにおいて、前年度の業績値のみを表した状態を示す正面図である。
【図１５】図４の棒グラフユニットにおいて、今年度の業績が前年度の業績よりも低い状態を示す正面図である。
【図１６】図４の棒グラフユニットにおいて、今年度の業績が前年度の業績よりも高い状態を示す正面図である。
【符号の説明】
【００４１】
Ｕ１        表示ユニット（業績表示部）
Ｕ２        棒グラフユニット
１          収容体（収納部）
２Ａ〜２Ｃ  軸受け部材
６          第１の回転部（支持体）
７          第２の回転部（支持体）
８          たるみ防止棒
１０        目標レベルユニット
１１        目標棒ガイドレール
１２        目標レベル棒
１３        外れ防止ガイド
１５        本体シート調整部（回転操作部）
２２        余白シート防止ガイド
２３        余白シートガイドレール
３０        本体シート（表示体）
３３        本体シート目印（マーク、操作用突起）
４０        上部余白ユニット
５０        下部余白ユニット
【図２】
2009282150.tif 000003
【図３】
2009282150.tif 000004
【図５】
2009282150.tif 000005
【図６】
2009282150.tif 000006
【図７】
2009282150.tif 000007
【図８】
2009282150.tif 000008
【図９】
2009282150.tif 000009
【図１０】
2009282150.tif 000010
【図１１】
2009282150.tif 000011
【図１３】
2009282150.tif 000012
【図１】
2009282150.tif 000013
【図４】
2009282150.tif 000014
【図１２】
2009282150.tif 000015
【図１４】
2009282150.tif 000016
【図１５】
2009282150.tif 000017
【図１６】
2009282150.tif 000018